(57)【特許請求の範囲】
【請求項１】
本体フレームと、該本体フレームの上方側に有して天井に押し当て可能な天井押当て部材と、ペットを支持可能に上記本体フレームに対して突出した支持部材とを備えたペット遊戯装置であって、
上記本体フレームの幅方向の両側で起立する少なくとも２本の起立フレームを備え、
該２本の起立フレームの間に、複数の横架フレームのそれぞれを上下方向に沿って横架して本体フレーム面を平面形状に構成し、
上記支持部材を、支持本体部と、上記本体フレーム面に対して着脱可能に係合して取り付ける取付け手段とで構成し、
上記横架フレームを、上記取付け手段の幅よりも長い長さで構成し、
上記取付け手段を、
取付けフレーム部と、上記横架フレームに係合可能に上記取付けフレーム部に備えたフレーム係合部とで構成し、
上記取付けフレーム部の上記フレーム係合部よりも下側部分を、該下側部分と対向する横架フレームに押し当てるフレーム押当て部に設定した
ペット遊戯装置。
【請求項２】
上記横架フレームを、上記本体フレーム面の幅方向において少なくとも２つの上記支持部材を並べて取り付け可能な長さで構成した
請求項１に記載のペット遊戯装置。
【請求項３】
上記本体フレームの上部と上記天井押当て部材との間に、上記天井押当て部材の高さ調節可能とする第一高さ調節手段と第二高さ調節手段を備え、
上記第一高さ調節手段を、上記天井押当て部材を下側から押し上げ可能にスライドする押上げ杆と、該押上げ杆を上記本体フレームに固定する固定手段とで構成し、
上記第二高さ調節手段を、上記押上げ杆の上部に形成した一方の螺子部と、該一方の螺子部に螺合して上記天井押当て部材を螺動可能とする他方の螺子部とで構成した
請求項１又は２に記載のペット遊戯装置。
【請求項４】
上記起立フレームの下部に、上記本体フレーム面に対して直角方向に配して上記起立フレームを支持する脚部を備え、
上記起立フレームを、上記脚部の長さ方向における一方の端部側から中央側部分偏りの偏移位置から立設した
請求項１から請求項３のうちいずれか１項に記載のペット遊戯装置。
【請求項５】
上記取付け手段の上記横架フレームとの接触部分に、上記横架フレームの材質よりも剛性の低い軟質部材を備えた
請求項１から請求項４のうちいずれか１項に記載のペット遊戯装置。
【請求項６】
上記フレーム係合部を、上側フレーム係合部に設定し、該上側係合フレームよりも下側に下側フレーム係合部を構成し、
上記下側フレーム係合部を、上記フレーム押当て部を押し当てる側の横架フレームに係合可能に上記取付けフレーム部に備えた
請求項１から請求項５のうちいずれか１項に記載のペット遊戯装置。
【発明の詳細な説明】
【技術分野】
【０００１】
この発明は、ペットが上り下りして遊んだり、高い所で休憩することのできる猫科のペットに好適なペット遊戯装置に関する。
【背景技術】
【０００２】
ペットの中でも、例えば、猫は、野性的な習性が残っているため、紐に繋いだり狭小な空間に収容して飼育するとストレスが溜まりがちになり健康上好ましくない。しかし、屋外で放し飼いした場合、近隣の住民に迷惑がかかり、トラブルのもとになるため、室内で放し飼いすることが多い。
【０００３】
ところが、猫は、外敵から身を守るため、或いは、高い所から獲物を捕獲するために本能的に木に登る習性を有しており、室内で放し飼いした場合、タンスや棚などの家具の上に登り、その際に、家具自体や部屋の壁を伝って上り下りすることがあるため、家具や部屋の壁に傷をつけてしまうという課題を有していた。
【０００４】
このような背景の下、室内に設置するだけで猫が遊戯できる環境を容易に構築することのできる遊戯装置が知られている。例えば、特許文献１において開示されている「室内用ペットの遊戯装置」もその１つである。
【０００５】
上記「室内用ペットの遊戯装置」は、床と天井の間に架設される支柱と、該支柱にペットが上下に伝わって移動したり留まることのできる複数のステップ部材とを備えている。
【０００６】
しかし、上記「室内用ペットの遊戯装置」は、１本の支柱を床と天井との間での突張りのみにより、ステップ部材から受ける荷重を支持する設置状態であるため、ペットが上り下りする運動を日常的に繰り返すと、不安定な設置状態になるおそれがある。
【０００７】
かといって、支柱の突張り力を高めるため、例えば、支柱の上端部に有するフランジを強く天井に押し当てると、天井には、フランジを押し当てた１点部分に集中的に荷重が加わることになるため、一般住宅のような天井材（化粧パネル）が施された天井であれば、該天井材が破損したり外れてしてしまうおそれがある。
【０００８】
さらに、ステップ部材についても、支柱の長さ方向の一部分に固定部とボルト（ストッパ）を用いて基本的に１点支持の形態で支柱に対して取り付けているため、安定性、強度面に難点を有するといわざるを得ず、結果的に、ステップ部材の大きさ（突き出し量）も制限されてしまう。
【０００９】
その他にも、ステップ部材の支柱に対する取り付け高さを変更する際には、その度にステップ部材を支柱に取り付けるためのボルトを締めたり緩めたりする手間を要し、面倒であるといった難点を有する。
【特許文献１】特開２０００−２５３７７１号公報
【発明の開示】
【発明が解決しようとする課題】
【００１０】
そこでこの発明は、ペットの運動能力や設置環境に応じた適切な形態に容易に設置できるとともに、安定した設置状態に保つことができるペット遊戯装置を提供することを目的とする。
【課題を解決するための手段】
【００１１】
本発明のペット遊戯装置は、本体フレームと、該本体フレームの上方側に有して天井に押し当て可能な天井押当て部材と、ペットを支持可能に上記本体フレームに対して突出した支持部材とを備えたペット遊戯装置であって、上記本体フレームの幅方向の両側で起立する少なくとも２本の起立フレームを備え、該２本の起立フレームの間に、複数の横架フレームのそれぞれを上下方向に沿って横架して本体フレーム面を平面形状に構成し、上記支持部材を、支持本体部と、上記本体フレーム面に対して着脱可能に係合して取り付ける取付け手段とで構成し、上記横架フレームを、上記取付け手段の幅よりも長い長さで構成し、上記取付け手段を、取付けフレーム部と、上記横架フレームに係合可能に上記取付けフレーム部に備えたフレーム係合部とで構成し、上記取付けフレーム部の上記フレーム係合部よりも下側部分を、該下側部分と対向する横架フレームに押し当てるフレーム押当て部に設定したことを特徴とする。
【００１２】
上記構成により、ペット遊戯装置は、少なくとも本体フレーム面を有した全体が平面形状となるため、柱状の形態のものと比較して安定して設置することができる。
【００１３】
上記構成により、上記支持部材を、本体フレームにおける、複数の横架フレームによって構成される本体フレーム面の任意の位置に取り付けることができる。
【００１４】
すなわち、支持部材を、高さ（上下方向）や左右（幅方向）において様々な位置で取り付けることができ、さらには、フレーム面の両面側のいずれの面側からでも取り付けることができる。  
従って、複数の支持部材を備えれば、該複数の支持部材を上記取付け手段によりそれぞれ所望の位置に取り付けることによって、様々なバリエーションで構成することができる。
【００１５】
上記構成により、支持部材のフレーム係合部を上記横架フレームに係合するだけで容易に取り付けることができる。  
しかも、支持部材を上記横架フレームに取り付けたとき、上記フレーム係合部の下側の上記横架フレームに、上記フレーム押当て部を押し当てた取り付け形態となる。
【００１６】
このフレーム押当て部により、支持本体部にペットが載るなどして支持部材に加わる特にモーメント荷重を、積極的に受け止めることができる。
【００１７】
このように上記フレーム係合部の横架フレームへの係合に加えてフレーム押当て部を横架フレームに押し当てて取り付けることにより、ペットが支持本体部を踏み台として上り下りしても、本体フレームに対して支持部材がガタつくことがなく安定して取り付けることができる。
【００１８】
この発明の態様として、上記横架フレームを、上記本体フレーム面の幅方向において少なくとも２つの上記支持部材を並べて取り付け可能な長さで構成することができる。
【００１９】
この発明の態様として、上記本体フレームの上部と上記天井押当て部材との間に、上記天井押当て部材の高さ調節可能とする第一高さ調節手段と第二高さ調節手段を備え、上記第一高さ調節手段を、上記天井押当て部材を下側から押し上げ可能にスライドする押上げ杆と、該押上げ杆を上記本体フレームに固定する固定手段とで構成し、上記第二高さ調節手段を、上記押上げ杆の上部に形成した一方の螺子部と、該一方の螺子部に螺合して上記天井押当て部材を螺動可能とする他方の螺子部とで構成することができる。
【００２０】
上記固定手段は、例えば、ボルトなど上記押上げ杆を固定できる手段であればよい。
【００２１】
上記構成により、本発明のペット遊戯装置は、天井押当て部材を天井に押し当てて天井と接地面との間で突張った状態で、しっかりと設置することができる。
【００２２】
また、本発明のペット遊戯装置は、上記第一高さ調節手段と、上記第二高さ調節手段とを備えることにより、高さ調節を容易に、且つ、適切に行い設置することができる。
【００２３】
具体的には、上記第一高さ調節手段を用いれば、例えば、高さ調節する距離（ストローク）が長い場合であっても、押上げ杆を天井押当て部材とともにスライドさせることに一気に高さ調節を行なうことができる。  
さらにその後で、上記第二高さ調節手段を用いれば、押上げ杆に対して上記天井押当て部材側を螺動させることにより、微妙な高さ調整を行うことができる。
【００２４】
従って、本発明のペット遊戯装置は、天井押当て部材を、幅方向の各側に有する少なくとも２本の起立フレームのそれぞれに備えているが、高さ調節を容易に行うことができ、且つ、適切な押当て力（突張り力）により、しっかりと設置することができる。
【００２５】
この発明の態様として、上記起立フレームの下部に、上記本体フレーム面に対して直角方向に配して上記起立フレームを支持する脚部を備え、上記起立フレームを、上記脚部の長さ方向における一方の端部側から中央側部分偏りの偏移位置から立設することができる。
【００２６】
上記構成により、本発明のペット遊戯装置は、例えば、壁際に設置したとき、壁面と本体フレーム面との間に、上記脚部の長さ方向における一方の端部側から偏移させた長さ分に相当するスペースを必然的に確保することができる。
【００２７】
このスペースにより、横架フレームに支持部材を取り付ける際に、フレーム係合部などにより壁面に不測に傷をつけることを阻止することができるとともに、横架フレームに支持部材を取り付けた後で、支持部材の背面側から例えば、ボルト留めなどといった取り付け状態を補強するためのスペースを確保することができる。
【００２８】
この発明の態様として、上記取付け手段の上記横架フレームとの接触部分に、上記横架フレームの材質よりも剛性の低い軟質部材を備えることができる。
【００２９】
上記軟質部材は、例えば、ゴム、シリコン、樹脂、布、ウレタンなどの軟質な部材で形成することができる。
【００３０】
上記構成により、支持部材を横架フレームに取り付けたとき、上記取付け手段と上記横架フレームとの間に、軟質部材を介在させることができる。  
よって、上記取付け手段と上記横架フレームとが直接、接触することを回避できるため、上記横架フレームに対して上記取付け手段が軋んだりガタつくことがなく、また、双方の接触部分に傷がつくことのない取り付け状態を確保することができる。
【００３１】
この発明の態様として、上記フレーム係合部を、上側フレーム係合部に設定し、該上側係合フレームよりも下側に下側フレーム係合部を構成し、上記下側フレーム係合部を、上記フレーム押当て部を押し当てる側の横架フレームに係合可能に上記取付けフレーム部に備えることができる。
【００３２】
上記構成により、上記上側フレーム係合部と下側フレーム係合部とを、上下方向に隣合う少なくとも２本の横架フレームの上側、下側の横架フレームにそれぞれ係合させることができるため、上記上側フレーム係合部を上側の横架フレームのみに係合するよりも支持部材に加わる荷重をしっかりと受けた状態で支持部材を本体フレームに取り付けることができる。
【発明の効果】
【００３３】
本発明により、ペットの運動能力や設置環境に応じた適切な形態に容易に設置できるとともに、安定した設置状態に保つことができるペット遊戯装置を提供することができる。
【発明を実施するための最良の形態】
【００３４】
この発明のペット遊戯装置１１の一実施形態を以下図面を用いて説明する。  
本実施形態のペット遊戯装置１１は、図１から図３に示すように形成している。  
図１は、上記ペット遊戯装置１１の使用状態を示す外観図であり、図２は、上記ペット遊戯装置本体１２の各部の構成を分解して示した構成説明図である。図３は、ペット遊戯装置本体１２の一部を省略して示したそれぞれ平面図（ａ），正面図（ｂ），図３（ｂ）のＡ−Ａ線断面図（ｃ）である。
【００３５】
上記ペット遊戯装置１１は、ペット遊戯装置本体１２と、ペット遊戯装置本体１２に対してペットを支持可能に突出した複数の支持部材１３とを備えている。  
さらに、ペット遊戯装置本体１２には、複数本のフレームを組み合わせて全体を略梯子型形状で構成した本体フレーム１４と、該本体フレーム１４の下端部に備えて、本体フレーム１４を支持する２つの脚部２４と、上記本体フレーム１４の上方側に備えて、天井Ｒに押し当て可能な２つの天井押当て部材２７とで構成している。
【００３６】
上記本体フレーム１４は、その幅方向の両側で互いに平行に起立する２本の起立フレーム１５を備え、該２本の起立フレーム１５の間に、例えば、１５本の横架フレーム１６のそれぞれを上下方向に沿って等間隔に横架して平面状の本体フレーム面１７を構成している（図３（ｂ）中、仮想線で示した１７参照）。
【００３７】
本体フレーム１４は、その長さ方向の略中間部分において、２部材に分割可能に構成し、上方側部分に相当する上側分割本体フレーム２２と下方側部分に相当する下側分割本体フレーム２３とをボルトにより一体に連結して構成している（図２参照）。  
なお、横架フレーム１６は、円柱型パイプで構成するとともに、起立フレーム１５は、角柱型パイプで構成している。
【００３８】
また、上記脚部２４は、起立フレーム１５を下側から支持する例えば、３７ｍｍの長さで構成した脚フレーム２５と、該脚フレーム２５の下面の前後方向両端部には、それぞれ床面Ｆに設置可能な脚アジャスタ２６とを備えている。
【００３９】
上記脚部２４は、上記脚フレーム２５を上記本体フレーム面１７に対して前後方向（直角方向）に倒伏姿勢で配した構成であるとともに、上記脚フレーム２５の長さ方向一方の端部側から中間側部分Ｃへ例えば、１５ｍｍ程度、偏移させた偏移位置Ｐから立設した上記起立フレーム１５を支持する構成である（図３（ｃ）参照）。
【００４０】
上記天井押当て部材２７は、ポリアミド（Ｐ．Ａ樹脂）により形成し、上端部に平面視円板状の押当て部３２を備えている。
【００４１】
上記本体フレーム１４の上部と上記天井押当て部材２７との間には、図４に示すように、上記天井押当て部材２７の高さ調節を可能とする２つの高さ調節手段３３，３４（第一高さ調節手段３３、及び、第二高さ調節手段３４）を備えている。  
なお、図４は、上記天井押当て部材２７付近の構成を一部断面で示した構成説明図である。
【００４２】
上記第一高さ調節手段３３は、上記天井押当て部材２７を下側から押し上げ可能に起立フレーム１５に対して上下動する押上げ杆３５と、該押上げ杆３５の本体フレーム１４に対する高さ位置を固定する押上げ杆調節固定ノブ３６とで構成している。
【００４３】
上記押上げ杆３５は、図２、及び、図４に示すように、例えば、５００ｍｍ程度の長さを有した円柱型パイプで構成するとともに、起立フレーム１５の長さ方向に沿って形成した中空部１５Ａに上端部から差込み可能な外径で構成している。
【００４４】
押上げ杆調節固定ノブ３６は、起立フレーム１５の上端部付近の前方側面に、起立フレーム１５の中空部１５Ａへ螺子込み可能に備えている。
【００４５】
押上げ杆調節固定ノブ３６を、起立フレーム１５の中空部１５Ａにおいてスライド自在な上記押上げ杆３５へ側方から押し当てることにより、本体フレーム１４に対する上記押上げ杆３５を所定の高さ位置（上方への突き出し量）で固定（保持）することができる。
【００４６】
一方、上記第二高さ調節手段３４は、図２の要部拡大図、及び、図４に示すように、押上げ杆３５の上端外周部に形成した一方の螺子部３７と、該一方の螺子部３７に螺合して上記天井押当て部材２７を螺動可能とする他方の螺子部４２とで構成している。
【００４７】
詳しくは、押上げ杆３５の上端部と上記天井押当て部材２７との間には、樹脂製の筒状の高さ調節パイプ４３を備えている。
【００４８】
上記高さ調節パイプ４３は、その内周部に上記一方の螺子部３７と螺合可能な上記他方の螺子部４２を形成しているため、押上げ杆３５の上端外周部に形成した一方の螺子部３７をボルトの螺子部分とすると、押上げ杆３５の軸方向に沿ってナットのように螺動する。
【００４９】
さらに、高さ調節パイプ４３の上端部には、上記天井押当て部材２７の下端部に備えた凹部４４に嵌め込み可能な嵌め込み部４５を構成している（図２の要部拡大図、及び、図４参照）。さらに、高さ調節パイプ４３の外周部には、人が摘んで螺動可能に１８０°のなす角でそれぞれ半径方向外側へ突出した一対の摘み片部４６を形成している。
【００５０】
続いて、上記支持部材１３の構成について図５から図７を用いて説明する。  
なお、図５は、上記支持部材１３の一実施形態を示すそれぞれ平面図（ａ），正面図（ｂ），底面図（ｃ），背面図（ｄ），一部拡大して示した図５（ｂ）のＡ−Ａ線断面図（ｅ）である。図６は、支持部材１３を背面から視た本体フレーム１４への取り付け状態を示す説明図であり、図７は、図５に示した支持部材１３とは異なる他の支持部材１３である。
【００５１】
上記支持部材１３は、棚板型支持部材１３Ａとハンモック型支持部材１３Ｂとの２種類を備え、以下、棚板型支持部材１３Ａを例にとり、上記支持部材１３の構成について説明する。
【００５２】
上記支持部材１３は、主に、ペットを支持する支持本体部４７と、上記支持本体部４７を支える支持フレーム５２とで構成している。
【００５３】
上記支持フレーム５２は、横架フレーム１６に着脱可能に取り付ける取付けフレーム部５３と、該取付けフレーム部５３に対して直角に突出する突出フレーム部５４とで断面視Ｌ字型に構成している（図５（ｅ）参照）。
【００５４】
上記取付けフレーム部５３は、上下方向で隣合う所定の２本の横架フレーム１６（上側横架フレーム１６Ｕ、下側横架フレーム１６Ｄ）間に亘って配置可能に、これら２本の横架フレーム１６Ｕ，１６Ｄ同士の間隔よりも長い長さを有した角型パイプで形成している。
【００５５】
さらに、上記取付けフレーム部５３には、上下方向で隣合う所定の２本の横架フレーム１６Ｕ，１６Ｄのうち、上下各側の横架フレーム１６Ｕ，１６Ｄに係合可能にフレーム係合部５５（上側フレーム係合部５５Ｕ、下側フレーム係合部５５Ｄ）を固着している。
【００５６】
上側フレーム係合部５５Ｕ、下側フレーム係合部５５Ｄは、いずれも、上記取付けフレーム部５３に固着したとき、Ｌ字形状に屈曲した先端部が下方へ垂下した形状で形成し、横架フレーム１６との接触部分であって、荷重を受ける部分には、軟質板状部材５７を固着している。  
なお、軟質板状部材５７は、ウレタンやゴムなどの軟質部材により形成している。
【００５７】
さらに、上記上側フレーム係合部５５Ｕの先端部（下端部）には、螺子孔５５ａを形成し、該螺子孔５５ａには、固定ノブ４８の螺子部４８ａを螺合している。
【００５８】
また、上記取付けフレーム部５３における、上記下側横架フレーム１６との対向部分には、該下側横架フレーム１６へ押し当て可能なフレーム押当て部７１を構成している。
【００５９】
また、上記支持本体部４７は、棚板型支持部材１３Ａに備えた棚板型支持本体部４７Ａと、ハンモック型支持部材１３Ｂに備えたハンモック型支持本体部４７Ｂとの二種類を備えている。
【００６０】
なお、本実施形態のペット遊戯装置１１は、図１に示すように、合計５つの支持部材１３を備え、そのうち、４つの支持部材１３は、棚板型支持部材１３Ａで構成し、１つの支持部材１３は、図７（ｂ）に示すようなハンモック型支持部材１３Ｂで構成している。
【００６１】
上記棚板型支持本体部４７Ａは、図５に示すように、ペットが載上する棚板５８と、該棚板５８の基端部から起立した背面板５９とで、側面視Ｌ字型に一体に構成している。
【００６２】
上記棚板５８、及び、背面板５９には、少なくともペットが接触する表面に適宜、ポリエステル生地で表面を柔軟な起毛状に形成したカバーシート６５を展着している。
【００６３】
棚板型支持本体部４７Ａの支持フレーム５２に対する取り付けは、上記棚板５８を、上記突出フレーム部５４により下側から支持する形態でボルトにより一体に固定し、背面板５９を、取付けフレーム部５３により背面側からボルトにより一体に固定している（図示せず）。
【００６４】
一方、上記ハンモック型支持本体部４７Ｂは、ポリエステル生地で表面を柔軟な起毛状に形成した平面視矩形をしたハンモックシート６９を備え、平面視矩形に形成したその外周端部には、後述する適宜のフレームを挿通可能な筒状のフレーム収容部６９ａを備えている。
【００６５】
ハンモック型支持本体部４７Ｂは、図７（ａ）に示すように、突出フレーム部５４、及び、ハンモックパイプ６８をハンモックシート６９の上記フレーム収容部６９ａに収容して、ハンモックシート６９を架設した形態で支持フレーム５２に取り付けている。
【００６６】
次に、上述した構成のペット遊戯装置１１を、室内に設置する手順について説明する。  
ペット遊戯装置１１は、床面Ｆと天井Ｒとの間での突張りにより設置することができる。このような突張り状態で設置するため、天井押当て部材２７を本体フレーム１４に対して天井Ｒに押し当て可能な高さに調節する。
【００６７】
詳しくは、まずペット遊戯装置本体１２の脚部２４を壁際などの所望の設置箇所に設置する。そして、天井押当て部材２７の第一の高さ調節として、本体フレーム１４の幅方向の両側に有する押上げ杆３５，３５をそれぞれ天井Ｒに達するまで起立フレーム１５に対して上方へスライドさせることにより、大まかな高さ調節を行う。
【００６８】
この第一の高さ調節により、天井押当て部材２７を天井Ｒに軽く押し当てることができるため、本体フレーム１４が不測に転倒することを回避することができる。このように押上げ杆３５を上方へスライドさせればよいため、高さ調節すべき間隔（ストローク）が長い場合であっても、容易に高さ調節を行うことができる。
【００６９】
続いて、第二の高さ調節として、高さ調節パイプ４３（他方の螺子部４２）を押上げ杆３５（一方の螺子部３７）に対して螺動させることにより、より微妙（厳密）な高さ調節を行う。
【００７０】
この第二の高さ調節は、第一の高さ調節に比べて調節可能なストロークが短いが、高さ調節パイプ４３を押上げ杆３５に対して螺動させることにより、微妙な調節が可能であるため、ペット遊戯装置本体１２を設置後にペットが使用してもガタつくことなく、また、天井Ｒに押し当て過ぎて天井材を破損することもない適切な押し当て力で天井押当て部材２７を天井Ｒに押し当てることができる。
【００７１】
第一高さ調節手段３３、及び、第二高さ調節手段３４は、幅方向の両側にそれぞれ備えているが、いずれも本体フレーム１４の上部に有しているため、高さ調節時に本体フレーム１４の荷重を受けることがないため、手軽に高さ調節を行なうことができる。しかも、第一高さ調節手段３３、及び、第二高さ調節手段３４は、互いに手が届く範囲に備えているため、第一高さ調節と第二の調節とを連続的に、或いは、互いの調節を交互に行いながら高さ調節を容易に行うことができる。
【００７２】
以上のようにして、ペット遊戯装置本体１２は、天井Ｒと床面Ｆとの間に設置することができ、このとき、例えば、１本の棒状の部材で突っ張る場合と比較して安定性に優れ、且つ、天井Ｒへの集中的な押し当てによる負荷を軽減した状態で設置することができる。
【００７３】
次に、上述したように設置したペット遊戯装置本体１２における本体フレーム１４への支持部材１３の取り付けについて説明する。  
支持部材１３は、基本的に本体フレーム面１７における所望の隣合う２本の横架フレーム１６の上側、下側の各横架フレーム１６（上側横架フレーム１６Ｕ、及び、下側横架フレーム１６Ｄ）にフレーム係合部５５（上側フレーム係合部５５Ｕ、及び、下側フレーム係合部５５Ｄ）を係合するだけで取り付けることができる。
【００７４】
なお、フレーム係合部５５を横架フレーム１６に係合したとき、その間に軟質板状部材５７が介在するため、直接、金属同士が接触せず、互いに傷がつくことを防止することができる。
【００７５】
さらに、２本の横架フレーム１６のうち下側横架フレーム１６Ｄにフレーム押当て部７１が押し当たる取り付け形態となり（図５、図６参照）、ペットが載り降りを繰り返すなどしても、その荷重、特に曲げモーメントを受け止めることができ、棚板５８を水平な姿勢になるよう安定して取り付けることができる。
【００７６】
さらにまた、上述した基本的な取り付けに加えて補強的に、上側フレーム係合部５５Ｕの下部に固定ノブ４８の螺子部４８ａを差込み、上側横架フレーム１６Ｕの下方の空間にボルト部分の螺子部４８ａを突き出した取り付け形態とすることにより、上側フレーム係合部５５Ｕの上側横架フレーム１６Ｕに対する係合が万一にも不測に外れることがなく取り付けることができる。
【００７７】
この上側フレーム係合部５５Ｕへの固定ノブ４８の取り付けは、工具を要さず、素手で容易に着脱することができる。
【００７８】
しかも、ペット遊戯装置本体１２の突張りを解除して本体フレーム１４を傾けた場合であっても、支持部材１３が外れてしまうことがないため、例えば、支持部材１３を本体フレーム１４に取り付けたままでも、他の設置箇所へ移動させることができる。
【００７９】
また、脚部２４は、上述したように中間側Ｃに偏位させた偏移位置Ｐから本体フレーム１４（起立フレーム１５）を起立させている（図３（ｃ）参照）。このため、ペット遊戯装置１１を壁際に設置した場合であっても、壁面と本体フレーム面１７との間に、偏移量に相当するスペースを確保することができ、固定ノブ４８の取り付けも、容易に行うことができる。
【００８０】
以上のように、支持フレーム５２を横架フレーム１６に容易に取り付けることができる。このため、複数の支持部材１３を、本体フレーム面１７における所望の幅（左右）、高さ（上下）において任意の位置に取り付けることができる。  
例えば、図８で示したように取り付ければ、４つの棚板型支持部材１３Ａを、下側から上方向において左右交互（ジグザグ）の段状に取り付けることができる。このような取付け形態により、ペットは、各棚板型支持部材１３Ａを載り移り易くなり、スムーズに上下動することができる（図１参照）。
【００８１】
そして、殊にハンモック型支持部材１３Ｂは、本体フレーム１４の最も上部の横架フレーム１６に取り付けることが好ましい（図８参照）。  
このような取り付け形態により、ペットにとってペットが表面が柔軟性に富むハンモック型支持部材１３Ｂでペットが快適に休憩することができることは勿論、ペットは、木の上などと同様に高い所で本能的に安心感を得た状態で休憩することができる（図１参照）。
【００８２】
その他にも、支持部材１３は、本体フレーム面１７に対して様々な形態で取り付けることができる。
【００８３】
例えば、２つの支持部材１３を、図９（ａ）に示したように、同じ横架フレーム１６の幅方向に並べた状態で取り付けることにより、棚板５８，５８が同一高さで水平に並んだ幅広な水平面を構成することができる。
【００８４】
このような取り付けにより、その上をペットは、棚板５８に載るだけでなく、歩きまわることができ、遊戯の幅を広めることができる。
【００８５】
また、本体フレーム１４は、壁際に設置するに限らず、例えば、パーティションのように、部屋の中央側に設置することもできる。  
このような設置状態であれば、図９（ｂ）に示したように、支持部材１３を本体フレーム面１７に対して一方の側へ突出した取付け形態で取り付けるに限らず、他方の側へ突出した取付け形態で取り付けたり、両側へ突出した取付け形態で取り付けることができる。
【００８６】
このように、ペット遊戯装置１１は、支持部材１３の本体フレーム１４に対する取付け形態も含めて様々な設置状態で設置することができるため、ペットの性格や成長、或いは、設置環境などの状況に応じた適切な設置状態で設置することができる。
【００８７】
また、上述した実施形態と、この発明の構成との対応において、
この実施形態の押上げ杆調節固定ノブ３６は、この発明の固定手段に対応し、同様に、
軟質板状部材５７は、軟質部材に対応するも、
この発明は、上述の実施形態の構成のみに限定されるものではなく、多くの実施の形態を得ることができる。
【図面の簡単な説明】
【００８８】
【図１】本実施形態のペット遊戯装置の使用状態を示す外観図。
【図２】本実施形態のペット遊戯装置本体の構成説明図。
【図３】本実施形態のペット遊戯装置本体の構成説明図。
【図４】本実施形態の高さ調節手段の構成説明図。
【図５】本実施形態の支持部材の構成説明図。
【図６】本実施形態の支持部材の本体フレームへの取り付け状態を示す説明図。
【図７】本実施形態の他の支持部材の構成説明図。
【図８】本実施形態のペット遊戯装置の作用説明図。
【図９】本実施形態のペット遊戯装置の作用説明図。
【符号の説明】
【００８９】
１１…ペット遊戯装置
１４…本体フレーム
１３（１３Ａ，１３Ｂ）…支持部材
１５…起立フレーム
１６…横架フレーム
１７…本体フレーム面
４７（４７Ａ，４７Ｂ）…支持本体部
５３…取付けフレーム部
５５…フレーム係合部
５５Ｕ…上側フレーム係合部
５５Ｄ…下側フレーム係合部
３２…フレーム押当て部
２７…天井押当て部材
３３…第一高さ調節手段
３５…押上げ杆
３６…押上げ杆調節固定ノブ
２７…天井押当て部材
３４…第二高さ調節手段
３７…一方の螺子部
４２…他方の螺子部
２４…脚部
５７…軟質板状部材
７１…フレーム押当て部
Ｐ…偏移位置
【図１】
0004455655.tif 000002
【図２】
0004455655.tif 000003
【図３】
0004455655.tif 000004
【図４】
0004455655.tif 000005
【図５】
0004455655.tif 000006
【図６】
0004455655.tif 000007
【図７】
0004455655.tif 000008
【図８】
0004455655.tif 000009
【図９】
0004455655.tif 000010